(57)【特許請求の範囲】
【請求項１】
少なくとも１つのＸ線放射器（２）および少なくとも１つのＸ線検出器（３、４、５）を有し、Ｘ線放射器（２）及び（又は）Ｘ線検出器（３、４、５）が動き得るように配置され、所望の測定のために予め定められたＸ線放射器（２）及び（又は）所望の測定のために予め定められたＸ線検出器（５）の位置データ（Ｐ2、Ｐ5）が自動的に求められるＸ線装置の制御方法において、
Ｘ線放射器（２）及び（又は）Ｘ線検出器（５）の位置データ（Ｐ2、Ｐ5）の少なくとも一部が非接触式の位置検出方法によって求められ、
予め定められたＸ線放射器（２）の能動化の前に、
予め定められたＸ線検出器（５）が能動化されているかどうかが検査され、
求められた位置データ（Ｐ2、Ｐ5）を使用して当該のＸ線放射器（２）および当該のＸ線検出器（５）の互いに相対的な位置が決定され、
Ｘ線検出器（５）が能動化されており、Ｘ線放射器（２）およびＸ線検出器（５）が所望の測定に適するように互いに位置決めされているときに初めて、Ｘ線放射器（２）が能動化に対してレリーズされるか、または自動的に能動化される
ことを特徴とするＸ線装置の制御方法。
【請求項２】
少なくともＸ線放射器の１つ及び（又は）Ｘ線検出器（５）の１つが少なくとも作用範囲（Ｂ）内で自由に動き得ることを特徴とする請求項１記載の方法。
【請求項３】
光学的な位置検出方法が使用されることを特徴とする請求項１記載の方法。
【請求項４】
Ｘ線装置（１）に属するすべてのＸ線放射器（２）およびＸ線検出器（３、４、５）の位置データ（Ｐ2、Ｐ3、Ｐ4、Ｐ5）が求められ、これらの位置データ（Ｐ2、Ｐ3、Ｐ4、Ｐ5）を用いてそれぞれすべてのＸ線放射器（２）およびＸ線検出器（３、４、５）の互いに相対的な位置が決定され、次いで所望の測定のために選ばれたＸ線放射器／Ｘ線検出器の対（２、５）に対して互いに相対的な位置が検査されることを特徴とする請求項１ないし３のいずれか１つに記載の方法。
【請求項５】
作用範囲内に位置決めされた少なくともセンサ（９）を用いて各Ｘ線放射器またはＸ線検出器（５）に固定的に配置されている複数の標識対象物（１８）のセンサ（９）に対する相対的な位置データが求められ、この位置データをもとにして当該のＸ線放射器またはＸ線検出器（５）の位置データ（Ｐ5）が求められることを特徴とする請求項１ないし４のいずれか１つに記載の方法。
【請求項６】
各Ｘ線放射器またはＸ線検出器（５）に位置決めされている少なくとも第１のセンサ（１１）を用いて作用範囲（Ｂ）内に位置決めされた標識対象物（１７）に対する方向及び（又は）距離が求められ、各Ｘ線放射器またはＸ線検出器（５）に配置されている少なくとも１つの第２のセンサ（１２）を用いてＸ線室内のＸ線放射器またはＸ線検出器（５）の方位が求められることを特徴とする請求項１ないし５のいずれか１つに記載の方法。
【請求項７】
少なくとも１つのＸ線放射器（２）および少なくとも１つのＸ線検出器（３、４、５）を有し、Ｘ線放射器（２）及び（又は）Ｘ線検出器（３、４、５）が互いに動き得るように配置され、さらに、所望の測定のために予め定められた動き得るＸ線放射器（２）及び／又は所望の測定のために予め定められた動き得るＸ線検出器（５）の位置データ（Ｐ2、Ｐ5）を自動的に求めるための位置検出システム（６〜１８）を有しているＸ線装置において、
Ｘ線放射器及び（又は）Ｘ線検出器（５）の位置の少なくとも一部を求めるため非接触で動作する位置検出システム（６〜１８）、
求められた位置データ（Ｐ2、Ｐ5）を使用して、当該のＸ線放射器（２）および当該のＸ線検出器（５）の互いに相対的な位置を示す位置相関データ（Ｋ）を求める位置相関ユニット（２０）、
位置相関データ（Ｋ）をもとにして、Ｘ線放射器（２）およびＸ線検出器（５）が所望の測定に互いに適して位置決めされているかどうかを検査し、Ｘ線放射器（２）およびＸ線検出器（５）の位置決めの検査が成功した際ならびに当該のＸ線検出器（５）が能動化されていることを知らせる能動化信号（Ａ5）の受信の際に、Ｘ線放射器（２）を能動化のためにレリーズし及び（又は）自動的にトリガーするレリーズ及び（又は）トリガーユニット（２１）
を備えることを特徴とするＸ線装置。
【請求項８】
Ｘ線放射器の少なくとも１つが作用範囲（Ｂ）の内側で移動式のＸ線放射器であり、及び（又は）Ｘ線検出器（５）の少なくとも１つが作用範囲（Ｂ）の内側で移動式のＸ線検出器（５）であることを特徴とする請求項７記載のＸ線装置。
【請求項９】
光学的な位置検出システム（６〜１８）が使用されることを特徴とする請求項７記載のＸ線装置。
【請求項１０】
位置検出システム（６ないし１８）がＸ線装置（１）に属するすべてのＸ線放射器（２）およびＸ線検出器（３、４、５）の位置データ（Ｐ2、Ｐ3、Ｐ4、Ｐ5）を求め、位置相関ユニット（２０）がすべてのＸ線放射器（２）およびＸ線検出器（３、４、５）の位置相関データ（Ｋ）を求め、レリーズ及び（又は）トリガーユニット（２１）に伝達し、
レリーズ及び（又は）トリガーユニット（２１）が、レリーズ及び（又は）トリガーユニット（２１）に選択データ（Ｓ）を伝達する選択装置（２２）と接続されており、これらの選択データにより所望の測定のために選ばれるＸ線放射器／Ｘ線検出器の対（２、５）が決定され、
レリーズ及び（又は）トリガーユニット（２１）が選択データ（Ｓ）をもとにして選ばれたＸ線放射器／Ｘ線検出器の対（２、５）に対する位置相関データ（Ｋ）を検査する
ことを特徴とする請求項７ないし９のいずれか１つに記載のＸ線装置。
【請求項１１】
選択装置（２２）が、所望の測定のために使用すべきＸ線放射器／Ｘ線検出器の対（２、５）を選択するための選択データ（Ｓ）をインプットするための利用者インタフェースを有することを特徴とする請求項７ないし１０のいずれか１つに記載のＸ線装置。
【請求項１２】
位置検出システム（６〜１８）が−各Ｘ線放射器またはＸ線検出器（５）に固定的に配置されている複数の標識対象物（１８）と、
作用範囲（Ｂ）内に位置決めされた、センサ装置（９）に対して相対的な標識対象物（１８）の位置データを求めるための少なくとも１つのセンサ装置（９）と、
標識対象物（１８）の位置データをもとにして当該のＸ線放射器またはＸ線検出器（５）の位置データ（Ｐ5）を求めるための計算ユニットと
を有することを特徴とする請求項７ないし１１のいずれか１つに記載のＸ線装置。
【請求項１３】
位置検出システムが
作用範囲内に位置決めされた少なくとも１つの標識対象物（１７）と、
各Ｘ線放射器またはＸ線検出器（５）に位置決めされた、作用範囲（Ｂ）内に位置決めされた標識対象物（１７）に対する距離及び（又は）方向を求めるための少なくとも１つの第１のセンサ（１１）と、
各Ｘ線放射器またはＸ線検出器（５）に配置されている、Ｘ線室内のＸ線放射器またはＸ線検出器（５）の方位を求めるための少なくとも１つの第２のセンサ（１２）と、
作用範囲内に位置決めされた標識対象物（１７）に対する求められた距離及び（又は）方向およびＸ線室内の求められた方位をもとにして当該のＸ線放射器またはＸ線検出器（５）の位置データ（Ｐ5）を求めるための少なくとも１つの計算ユニット（１９）と
を有することを特徴とする請求項７ないし１２のいずれか１つに記載のＸ線装置。
【発明の詳細な説明】
【０００１】
【発明の属する技術分野】
本発明は、少なくとも１つのＸ線放射器および少なくとも１つのＸ線検出器を有し、Ｘ線放射器及び（又は）Ｘ線検出器が動き得るように配置されているＸ線装置を制御するための方法に関する。さらに本発明はその方法を実施するためのＸ線装置に関する。
【０００２】
【従来の技術】
最近のＸ線装置は今日では通常、単独のＸ線放射器／Ｘ線検出器の対を有するだけでなく、通常複数の固定さえた又は動き得るように取り付けられた、または移動式の検出器を含んでいる。このような移動式の検出器は、ケーブルありで、もしくはケーブルなしで、たとえばフィルム箔カセットのように、少なくとも作用範囲内で、たとえばＸ線空間内で、自由に移動可能である。しばしばＸ線装置はさらに複数の異なる固定または可動のＸ線検出器を有する。検出器および適合したＸ線放射器の選択により、特殊な検査を実行するため、最適なシステムが構成される。検査の際には、Ｘ線放射が検査対象物を通って検出器に当たるように、所望のＸ線放射器およびＸ線検出器が互いにまた検査対象物、たとえば患者の身体部分に対して、適切な方向に向けられていることが保証されなければならない。さらに、相応の検出器が能動的であり、またＸ線放射を受入れ得ることが保証されなければならない。このことは現在通常、Ｘ線放射器およびＸ線検出器を互いにまた検査対象物に対して方向付け、次いでＸ線検出器に取り付けられているコントロールシステム、たとえば点滅する緑の光、または像ステーションに指示されるコントロールシンボルを介して、相応する検出器が能動化されていることを確認する一人のＸ線助手により確かめられる。次いでＸ線放射の発生がＸ線助手により手作業でレリーズされ、撮像される。検出器が能動化されていることなしに、またはＸ線放射器およびＸ線検出器が互いに適切に位置決めされていることなしに、誤ってＸ線放射がレリーズされると、Ｘ線放射が撮像に有効になることなしに、患者はＸ線放射に曝される。従ってその場合には撮像が繰り返されなければならず、このことは患者に対し付加の放射負荷となる。
【０００３】
Ｃアームを介しての検出器および管の従来知られている固定された接続に対し、Ｘ管の能動的な再位置決めが自動的に検出器または像増幅器の能動的な再位置決めをも生じさせる、Ｘ管および検出器がそれぞれ互いに無関係に吊るされているＸ線診断装置は公知である（例えば、特許文献１参照）。検出器およびＸ管の各位置を知る機械的なセンサにより、Ｘ管の再位置決めに自動的に検出器の再位置決めが続くように取り計らわれる。すなわちメカニズムを介して検出器およびＸ管の位置が捕捉され得る。
【０００４】
【特許文献１】
米国特許第 6,200,024号明細書
【０００５】
【発明が解決しようとする課題】
本発明の課題は、放射が正しい検出器において撮像に有効になることなくＸ線放射がトリガーされるという安全上の危険を最小化することである。
【０００６】
【課題を解決するための手段】
上述の課題を解決するため、本発明の方法によれば、少なくとも１つのＸ線放射器および少なくとも１つのＸ線検出器を有し、Ｘ線放射器及び（又は）Ｘ線検出器が動き得るように配置され、所望の測定のために予め定められたＸ線放射器及び（又は）所望の測定のために予め定められたＸ線検出器の位置データが自動的に求められるＸ線装置の制御方法において、Ｘ線放射器及び（又は）Ｘ線検出器の位置データの少なくとも一部が非接触式の位置検出方法によって求められ、予め定められたＸ線放射器の能動化の前に、予め定められたＸ線検出器が能動化されているかどうかが検査され、求められた位置データを使用して当該のＸ線放射器および当該のＸ線検出器の互いに相対的な位置が決定され、Ｘ線検出器が能動化されており、Ｘ線放射器およびＸ線検出器が所望の測定に適するように互いに位置決めされているときに初めて、Ｘ線放射器が能動化に対してレリーズされるか、または自動的に能動化される。
【０００７】
また上述の課題を解決するため、本発明の装置によれば、少なくとも１つのＸ線放射器および少なくとも１つのＸ線検出器を有し、Ｘ線放射器及び（又は）Ｘ線検出器が互いに動き得るように配置され、さらに、所望の測定のために予め定められた動き得るＸ線放射器及び／又は所望の測定のために予め定められた動き得るＸ線検出器の位置データを自動的に求めるための位置検出システムを有しているＸ線装置において、Ｘ線放射器及び（又は）Ｘ線検出器の位置の少なくとも一部を求めるため非接触で動作する位置検出システム、求められた位置データを使用して、当該のＸ線放射器および当該のＸ線検出器の互いに相対的な位置を示す位置相関データを求める位置相関ユニット、位置相関データをもとにして、Ｘ線放射器およびＸ線検出器が所望の測定に互いに適して位置決めされているかどうかを検査し、Ｘ線放射器およびＸ線検出器の位置決めの検査が成功した際ならびに当該のＸ線検出器が能動化されていることを知らせる能動化信号の受信の際に、Ｘ線放射器を能動化のためにレリーズし及び（又は）自動的にトリガーするレリーズ及び（又は）トリガーユニットを有する。
【０００８】
本発明による方法では、所望の測定に対して予め定められたＸ線放射器の能動化の前に、所望の測定に対して予め定められたＸ線検出器が能動化されているかどうかが検査される。さらに自動的に位置データ、即ち当該のＸ線放射器及び（又は）当該のＸ線検出器の場所及び／方位に関するデータが求められる。なお、ここで位置とは空間における対象物の場所及び方位を含む。次いで求められた位置データを使用して当該のＸ線放射器および当該のＸ線検出器の互いに相対的な位置が決定され、Ｘ線検出器が能動化されており、Ｘ線放射器およびＸ線検出器が所望の測定に対して適するように互いに位置決めされているときに初めて、Ｘ線放射器が能動化に対してレリーズされるか、または自動的に能動化される。
【０００９】
冒頭にあげた種類の本発明によるＸ線装置は、そのために一方では所望の測定に対して予め定められた運動可能なＸ線放射器及び（又は）所望の測定に対して予め定められた運動可能なＸ線検出器の位置データを自動的に求めるための位置検出システムを必要とする。さらに、求められた位置データを使用して、当該のＸ線放射器および当該のＸ線検出器の互いに相対的な位置を示す位置相関データを求める位置相関ユニットが必要とされる。さらに、位置相関データをもとにして、Ｘ線放射器およびＸ線検出器が所望の測定に対して互いに正しく位置決めされているかどうかを検査し、Ｘ線放射器およびＸ線検出器の位置決めの成功裡の検査の際ならびに当該のＸ線検出器が能動化されていることを信号する能動化信号の受信の際に、Ｘ線放射器を能動化のためにレリーズし及び（又は）自動的にトリガーするレリーズ及び（又は）トリガーユニットが必要とされる。
【００１０】
本発明はこうしてＸ線助手によるＸ線放射器／Ｘ線検出器の 対の方向合わせおよび適切なＸ線検出器の能動化の全自動的なコントロールを可能にする。それによってＸ線放射の誤ったトリガーが大きな確実さをもって回避される。
【００１１】
従属請求項はそれぞれ本発明の特に有利な構成を含んでいる。
【００１２】
本発明によるＸ線装置内には任意の数のＸ線放射器およびＸ線検出器を使用することができる。放射器および検出器は固定的にまたは可動的に、たとえば検査台内のＣアームに、または壁架に取り付けることができる。しかし、Ｘ線放射器の少なくとも１つ及び（又は）Ｘ線検出器の少なくとも作用範囲、たとえばＸ線室、のなかで自由に移動可能であるのが好ましい。即ち、移動式のＸ線放射器又はＸ線検出器とするのが好ましい。このような移動式の機器は検査の際の患者の位置への最適な適合を可能とする。
【００１３】
Ｘ線放射器及び（又は）Ｘ線検出器の位置を求めるためには種々様々な位置検出システムを利用することができる。
【００１４】
装置の１つ、たとえばＸ線放射器、が固定的に取り付けられているかぎり、この装置の位置データは設置の際１回求められ、本発明による位置コントロールのためにメモリから呼び出し可能であるようにすれば十分である。保持体、たとえば台架、Ｃアームまたはデスクに動き得るように取り付けられている装置では、各装置の動きの個々の自由度に対するパラメータ値、たとえば継ぎ手の角度位置、も捕捉され、そこから各装置の正確な位置データが決定され得る。
【００１５】
好ましい実施例ではＸ線装置は非接触で動作する位置検出システムを有する。このような位置検出システムは特に移動式のＸ線放射器またはＸ線検出器の位置データを求めるための役割をする。位置データの非接触の測定はたとえば電磁的に、たとえば無線または光学的に、動作するか、または超音波に基づく位置検出システム、を用いて可能である。
【００１６】
この際に有利に、当該の対象物の正確な位置を決定するため、複数のセンサが対象物を監視するステレオタクティックなナビゲーション方法が利用され得る。このような対象物は、たとえば無線送信器または赤外線送信器のような能動的な対象物または対応する放射を反射し及び（又は）たとえば簡単にＣＣＤカメラを用いて光学的に一義的に識別し得る受動的な対象物であってよい。
【００１７】
好ましい実施例では、作用範囲内に通常固定的に位置決めされている少なくとも１つのセンサ、好ましくは少なくとも２つのセンサを用いて、固定的に各Ｘ線放射器またはＸ線検出器に配置されている複数の標識対象物のセンサに対して相対的な位置データが求められる。標識対象物はＸ線放射器またはＸ線検出器に付加的に取り付けられている能動的または受動的な標識対象物、たとえば位置検出システムの各センサに適合されている反射する測定点などであり得る。センサとしての従来通常のビデオカメラにより作動するシステムを利用する際には、Ｘ線放射器またはＸ線検出器自体の特殊な、正確に識別可能な部分、例えばハウジングの特定の縁も標識対象物として利用され得る。次いで標識対象物の位置データをもとにして当該のＸ線放射器またはＸ線検出器の位置データが求められる。
【００１８】
他の好ましい実施例では、各Ｘ線放射器またはＸ線検出器に位置決めされている少なくとも１つの第１のセンサを用いて、作用範囲内に位置決めされている標識対象物に対する方向および距離が求められる。その際距離測定は第１のセンサと作用範囲内に位置決めされている２つの標識対象物との間の方向が求められ、適当なクロス方位法により標識対象物への距離が確かめられるというやり方でも行われ得る。各Ｘ線放射器またはＸ線検出器に配置されている第２のセンサを用いて空間内の方位が求められる。この第２のセンサは、センサ自体の方位、従ってまた固定的にセンサと結合されているＸ線放射器またはＸ線検出器の重力に対して相対的な方位が求められるというやり方で動作し得る。作用範囲内に位置決めされている１つまたは複数の固定点への方向および距離に対する各第１のセンサにより求められた値から、また空間内の相対的な方位に関する第２のセンサのデータから、各Ｘ線放射器またはＸ線検出器の所望の位置データが求められ得る。
【００１９】
本発明を実現するため、種々の部分位置検出システムが共通の位置検出システムに組み合わされてもよい。こうしてたとえば可動の保持体に取付けられているＸ線放射器またはＸ線検出器の位置データが各保持体の設定パラメータの測定により求められ、自由に動き得るＸ線放射器及び（又は）Ｘ線検出器の位置データが非接触で作動する位置検出システムを用いて求められる。重要なことは、各装置の互いに相対的な位置を決定し得るように、共通の正規化された座標系のなかのすべての位置データが知られていることだけである。
【００２０】
好ましい実施例では位置検出システムにより最初にＸ線装置に属するすべてのＸ線放射器またはＸ線検出器の位置データが求められ、それらからすべての装置組み合わせの互いに相対的な位置が決定される。続いて、所望の測定に対して選ばれたＸ線放射器／Ｘ線検出器の対に対して互いの位置が、検査のために必要なＸ線放射器およびＸ線検出器の互いの正しい位置に関する与えられる情報をもとにして検査される。
【００２１】
これはたとえば、位置検出システムが連続的にすべてのＸ線放射器およびＸ線検出器の位置データを自動的に求め、これらのデータを位置相関ユニットに伝達するという形態で行われ得る。次いでこれはすべてのＸ線放射器およびＸ線検出器の互いの位置相関データを求め、これらのデータを再びレリーズ及び（又は）トリガーユニットに伝達する。レリーズ及び（又は）トリガーユニットはその場合に、レリーズ及び（又は）トリガーユニットに選択データを伝達する選択装置と接続されていてよい。これらの選択データにより、所望の測定に対して選択されたＸ線放射器／Ｘ線検出器の対が決定される。レリーズユニット及び（又は）トリガーユニットは次いで選択データをもとにして選択されたＸ線放射器／Ｘ線検出器の対に対する位置相関データを検査する。
【００２２】
従って選択装置は好ましくは、使用すべきＸ線放射器／Ｘ線検出器の対を選択するために選択データをインプットするための利用者インタフェースを有する。
【００２３】
特に好ましくは、選択装置は、所望の応用に対して正しいＸ線放射器／Ｘ線検出器の対が選択されたかどうかを検査する付加のコントロール装置を含んでいる。そのために選択装置に所望の検査または検査形式に関する情報もインプットされ得る。
【００２４】
特に好ましい実施例では、適切なＸ線放射器／Ｘ線検出器の対が自動的に所望の検査に関する情報をもとにして選択される。その際にＸ線助手は例えば適切な利用者インタフェースにより例えば静止している患者における胸廓のＸ線撮像のような特定の検査形式のみをインプットし得る。その場合に自動的に選択装置により適切な装置、たとえば壁架に取り付けられている検出器及び付属の適切に位置決め可能なＸ線放射器が選択される。
【００２５】
装置の正しい位置決めが検査された後に、最後に所望のＸ線検出器のアクティビティ状態が検査され、続いて各Ｘ線放射器をトリガーするためのレリーズが実行され、または当該のＸ線放射器が自動的にトリガーされる。
【００２６】
【発明の実施の形態】
以下に本発明の実施の形態を図面に示す実施例により説明する。
【００２７】
図１に示されているＸ線装置の実施例は、Ｘ線放射器２および３つの異なるＸ線検出器３、４、５を含んでいる。Ｘ線放射器２およびＸ線検出器３、４、５は作用範囲Ｂ、ここでは通常の遮蔽されたＸ線室Ｂのなかに位置している。
【００２８】
Ｘ線放射器２は、Ｘ線室Ｂの天井に取り付けられているレール２６上を運動方向Ｒ2に沿って移動し得る天井架２７、２８に取り付けられている。天井架２７、２８はレール２６から垂直下方に向いている保持棒２７を有し、それに揺動腕２８が保持棒２７に対して同軸に延びている軸線Ｄ1の周りを揺動可能に支えられている。揺動腕２８の端にＸ線放射器２が、それぞれ第１の揺動軸線Ｄ1に対して垂直にかつ互いに垂直に延びている２つの別の揺動軸線Ｄ2、Ｄ3の周りを揺動可能に取り付けられている。Ｘ線放射器２はこうして全体として４つの自由度をもって、すなわち移動方向Ｒ2に沿って、かつ３つの揺動軸線Ｄ1、Ｄ2、Ｄ3に沿って動き得るようにＸ線室Ｂ内に配置され、こうして、各Ｘ線検出器３、４、５を操作するために、種々の位置に設定され得る。
【００２９】
第１のＸ線検出器３は壁架３１に位置しており、運動方向Ｒ3に沿って高さを調整可能である。第２のＸ線検出器４は検査台２９の載置面の下側のホルダー３０内に位置しており、台２９に対して平行に運動方向Ｒ4に沿って移動可能である。さらにＸ線装置は完全に自由に運動可能な移動式のＸ線検出器５をも有する。
【００３０】
図１には、患者Ｐが下脚のＸ線検査のために検査台２９の上に座っている状況が示されている。そのために移動式の検出器５が利用される。従って移動式の検出器５は下脚の下側に位置決めされ、その際に患者Ｐは脚を曲げた姿勢に保つ。Ｘ線放射器２は相応して、Ｘ線検出器５に対して適切に位置決めされているように調整されており、その際Ｘ線放射器２とＸ線検出器５との間の患者Ｐの検出脚は正しい位置にある。
【００３１】
Ｘ線室Ｂの外側に、Ｘ線放射器２と接続されＸ線放射を発生するための正しい電圧を供給するＸ線発生器２３が位置している。さらに、Ｘ線室の外側に操作ステーション２５があり、この操作ステーションからＸ線発生器２３が、Ｘ線放射をトリガーすべく駆動される。この操作ステーション２５と個々のＸ線検出器３、４、５も相応の（ここには示されていない）導線を介して接続されている。集積された読出しユニットを有するディジタルのＸ線検出器であるかぎり、これらの導線を介して像データが直接的に操作ステーション２５に伝送され、そこで像スクリーン上に表示され得る。このような検出器の典型的な例はＣＣＤまたはＣＭＯＳチップへのＸ線コンバータ箔の光学的な連結を有するシステム、いわゆる静電的な読出しを有するセレンベースの検出器または能動的な読出しマトリックスを有する固体検出器である。
【００３２】
移動式の検出器５は同じく操作ステーション２５にケーブルを介して接続されていてよい。特に移動式の検出器５は、しかし他の検出器３、４も、各検出器３、４、５が十分なエネルギー供給部、たとえば蓄電池を有するかぎり、無線式のインタフェース、たとえば到達距離の短い無線インタフェース、を介して操作ステーション２５と接続されていてよい。これらの導線または無線式のインタフェースを介して各検出器３、４、５はそれらのアクティビティ状態を操作ステーション２５に伝達し得る。
【００３３】
図２から、どのようにＸ線放射器２および個々のＸ線検出器３、４、５の位置が求められるかの実施例が明らかである。
【００３４】
Ｘ線放射器２はここで、Ｘ線放射器２の位置を天井架２７、２８の揺動軸線Ｄ1、Ｄ2、Ｄ3の角度ならびに天井レール２６における台架２７、２８の位置をもとにして求める位置検出装置１０を備えている。位置データＰ２ は位置検出装置から、たとえば操作ステーション２５内にある位置相関器２０に伝達される。
【００３５】
検出器３、４、５の位置は非接触で作動する光学的な位置システム６ないし９を介して求められる。そのためにＸ線室Ｂ内の適切な位置、たとえば天井に複数の個別のセンサ９ａ、９ｂ、ここでは２つのＣＣＤカメラ９ａ、９ｂを有するセンサ装置９が位置している。
【００３６】
個々のＸ線検出器３、４、５にそれぞれ識別対象物６、７、８が固定的に配置されている。これらの識別対象物はＣＣＤカメラ９ａ、９ｂにより一義的に識別され、それらの室内の位置がＣＣＤカメラ９ａ、９ｂを用いての観察により一義的に決定され得る。
【００３７】
この位置検出方法の作動は移動式の検出器５の位置データＰ5を求める例について図３により一層詳細に説明される。検出器５に取り付けられている識別対象物８はここで３つの一義的に識別対象物８に位置決めされた標識対象物１８を有する。標識対象物１８の配置および形式により各識別対象物８またはそれと接続されている検出器５がＣＣＤカメラ９ａ、９ｂの助けをかりて一義的に識別可能である。２つのＣＣＤカメラ９ａ、９ｂはそれぞれ３つの標識対象物１８を有する識別対象物８を捕捉し、２つの視角から各個々の標識対象物１８の位置及び識別対象物８の正確な位置および方位を決定し得る。
【００３８】
標識対象物１８は、それ自体で信号、たとえば赤外線放射を送り出す能動的な対象物であってよい。しかしそれは、たとえば特定の放射をセンサに向けて反射する受動的な対象物であってもよい。これは主としてセンサの選択に関係する。いまの実施例ではセンサは可視範囲内で作動するＣＣＤカメラである。従ってここでは標識対象物１８として、特に良く認識可能であり、ＣＣＤカメラ９ａ、９ｂの像信号で分離され得るように、特定の信号カラーを有する簡単な半球が使用される。
【００３９】
２つのセンサを用いて複数の標識対象物の位置を検出し、こうして監視すべき対象物の位置および方位を求めるこのようなシステムは既に種々の構成で存在している。市販されているシステムはたとえばNorthern Digital Incorporation社の位置検出システムPolaris(登録商標）である。
【００４０】
また標識対象物１８は直接にＸ線検出器５に取り付けられていてもよい。
【００４１】
このようにしてセンサ装置９により求められた個々のＸ線検出器３、４、５の位置データＰ3、Ｐ4、Ｐ5は同じく位置相関ユニット２０に伝達される。
【００４２】
次いで位置相関ユニット２０においてＸ線放射器２に対して相対的なすべての検出器３、４、５に対する位置データＰ2、Ｐ3、Ｐ4、Ｐ5から、それぞれＸ線放射器２に対する当該の検出器３、４、５の相対的な位置を示す位置相関データＫが計算される。これらの位置相関データＫは次いでレリーズユニット２１に伝達される。レリーズユニット２１はさらに、当該の検出器３、４、５が能動化されているかぎり、個々のＸ線検出器３、４、５からそれぞれ能動化信号Ａ3、Ａ4、Ａ5を受ける。
【００４３】
さらにレリーズユニット２１は選択装置２２と接続されている。この選択装置２２は、所望のＸ線放射器／Ｘ線検出器の対２、５を決定するための装置である。選択装置２２はここでは操作ステーション２５の部分である。たとえばそれは操作ステーション２５の計算機に設けられているＸ線装置１の制御ソフトウェアの特殊なソフトウェアモジュールであってよい。
【００４４】
選択装置２２から、所望のＸ線放射器／Ｘ線検出器の対２、５に関する情報を含んでいる選択データＳがレリーズユニット２１に伝達される。レリーズユニット２１は次いで選択データＳおよび位置相関データＫをもとにして、選択されたＸ線放射器／Ｘ線検出器の対２、５が互いに適切に位置決めされているか否かを検査する。検査が成功裡に進行しており、またさらに当該のＸ線検出器５に対して能動化信号Ａ5が存在し、さらに当該Ｘ線検出器５に対し能動信号Ａ5が存在しているならば、レリーズ信号Ｆが発生され、発生器２３に伝達される。この発生器２３は次いでスイッチ２４を用いて操作され、こうしてＸ線放射がレリーズされる。スイッチ２４も操作ステーション２５の部分であってよい。その他の点ではレリーズユニット２１および位置相関ユニット２０も操作ステーション２５の計算機上にソフトウェアの形態で実現されていてよい。
【００４５】
レリーズユニット２１の代わりに、相応の命令を受けた後、また位置決めおよび検出器アクティビィティの成功裡のコントロールの後に、自動的にＸ線放射がレリーズする読出しユニットも使用することができる。
【００４６】
図４は、広い部分で図２による実施例と合致するそれに代る実施例を示す。両図において同等の構成要素には同符号を付されている。
【００４７】
図４によるＸ線装置１と図２による本発明によるＸ線装置１との主な相違点は位置検出システムにある。
【００４８】
図４による実施例では、Ｘ線室Ｂ内において標識対象物１７が位置決めされる位置検出システムが使用される。Ｘ線検出器３、４、５に標識対象物１７への距離および方向を求めるためのそれぞれ第１のセンサ１５、１３、１１が位置している。センサ１５、１３、１１の形式に応じて標識対象物１７はたとえば無線送信器または赤外線送信器のような能動的な標識対象物であってよいし、又は受動的な標識対象物であってもよい。
【００４９】
図示されている実施例では、それは無線送信器１７である。Ｘ線検出器３、４、５の第１のセンサ１５、１３、１１は無線送信器１７の無線信号が到来する方向を求め、さらに受信された電力をもとにして無線送信器１７への距離を知り、それによって室内のそれぞれ第１のセンサ１５、１３、１１の位置が求められる。それに代えて、室内に、それぞれ送信器を一義的に識別する無線信号を発する複数の無線送信器が位置していてもよい。当該のＸ線検出器の各第１の送信器における電力測定を介して再び種々の送信器の各々への距離が測定され、こうして距離測定により室内の位置も決定され得る。
【００５０】
さらにＸ線検出器３、４、５は、室内の当該のＸ線検出器３、４、５の方位を求めるために使用されるそれぞれ方位センサ１６、１４、１２を設けられている。室内の位置を決定し得る種々のセンサが一般に知られている。
【００５１】
さらにＸ線検出器３、４、５の各々は、作用範囲内に位置決めされている標識対象物１９への求められた距離または方向および方位センサ１６、１４、１２により求められた室内の方位から、位置データＰ3、Ｐ4、Ｐ5を計算する計算ユニット１９を有する。位置データＰ3、Ｐ4、Ｐ5は次いで位置相関ユニット２０に伝達される。これは、図２による実施例の際のように、直接にＸ線放射器２における測定装置１０からＸ線放射器２の位置データＰ2を受信する。位置データＰ2、Ｐ3、Ｐ4、Ｐ5のその他の処理および能動化信号Ａ3、Ａ4、Ａ5との結び付けは図２による実施例で説明したように行われる。
【００５２】
位置相関ユニット２０への位置データＰ3、Ｐ4、Ｐ5の伝達ならびにレリーズユニット２１への付属の能動化信号Ａ3、Ａ4、Ａ5の伝達は、Ｘ線検出器３、４、５の形式に応じて位置相関ユニット２０またはレリーズユニット２１へのケーブルまたは無線式の伝送システム、たとえば無線式インタフェースを介して行うことができる。
【００５３】
ここでもう一度明示的に指摘すべきことは、図面に示されている位置検出システムは本発明の実施例に過ぎず、任意のＸ線検出器またはＸ線放射器の位置を求めるため種々の位置検出システムを利用することができるということである。例えば図４による実施例ではＸ線放射器２の位置もＸ線検出器３、４、５におけると同様に非接触の位置検出システムを介して求めることができる。同じく各Ｘ線検出器３、４、５に対しても異なる位置検出システムを利用することができる。
【図面の簡単な説明】
【図１】本発明の第１の実施例のＸ線室内のＸ線放射器及び複数のＸ線検出器の配置の概要図。
【図２】第１の実施例による位置検出システムによりＸ線放射器およびＸ線検出器の位置データの求め方を説明するための概要図。
【図３】図２のＸ線検出器およびセンサの詳細図。
【図４】本発明の第２の実施例による位置検出システムによりＸ線放射器およびＸ線検出器の位置データの求め方を説明するための概要図。
【符号の説明】
１    Ｘ線装置
２    Ｘ線放射器
３〜５  Ｘ線検出器
６〜８  識別対象物
９    センサ装置
９ａ、９ｂ  センサ
１０  位置検出ユニット
１１  第１のセンサ
１２  方位センサ
１３  第１のセンサ
１４  方位センサ
１５  第１のセンサ
１６  方位センサ
１７  標識対象物／無線送信器
１８  標識対象物
１９  計算ユニット
２０  位置相関ユニット
２１  レリーズユニット
２２  選択装置
２３  Ｘ線発生器
２４  スイッチ
２５  操作ステーション
２６  天井レール
２７  保持棒
２８  揺動腕
２９  検査台
３０  保持体
３１  壁架
Ｂ    作用範囲／Ｘ線空間
Ｆ    レリーズ信号
Ｋ    位置相関データ
Ｐ    患者
Ｓ    選択データ
Ａ３〜Ａ４  能動化信号
Ｄ１〜Ｄ３  揺動軸線
Ｐ２〜Ｐ５  位置データ
Ｒ２〜Ｒ４  運動方向
【図１】
0004510400.tif 000002
【図２】
0004510400.tif 000003
【図３】
0004510400.tif 000004
【図４】
0004510400.tif 000005